【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
コンポーネントが処理待ち状態にあることを示す指示情報をユーザ機器によって得る段階と、
表示領域が縮小された後の未占有領域に表示画面がコンテナの隠れ領域を表示するように、前記指示情報に従って、前記コンテナ中の前記ユーザ機器の前記表示画面上に表示された前記表示領域に対して縮小処理を前記ユーザ機器によって実施する段階とを含むコンポーネント表示処理方法であって、前記コンテナが、コンポーネントを収容するための前記表示領域および前記隠れ領域を含む、コンポーネント表示処理方法。
【請求項２】
前記表示領域が縮小された後の前記未占有領域に前記表示画面が前記コンテナの前記隠れ領域を表示するように、前記指示情報に従って、前記コンテナ中の前記表示画面上に表示された前記表示領域に対して縮小処理を実施する前記段階が、
前記表示領域全体が縮小された後の前記未占有領域に前記表示画面が前記コンテナの前記隠れ領域を表示するように、前記指示情報に従って、前記表示領域全体に対して縮小処理を実施する段階を含む、請求項1に記載のコンポーネント表示処理方法。
【請求項３】
前記指示情報が前記コンポーネントの移動方向情報を含み、
前記表示領域が縮小された後の前記未占有領域に前記表示画面が前記コンテナの前記隠れ領域を表示するように、前記指示情報に従って、前記コンテナ中の前記表示画面上に表示された前記表示領域に対して縮小処理を実施する前記段階が、
前記表示領域が縮小された後の前記未占有領域に前記表示画面が前記コンテナの前記隠れ領域を表示するように、前記指示情報に含まれる前記コンポーネントの前記移動方向情報に従って、前記コンポーネントの移動方向が向けられる前記表示領域の部分に対して縮小処理を実施する段階を含む、請求項1に記載のコンポーネント表示処理方法。
【請求項４】
前記表示領域が縮小された後の前記未占有領域に前記表示画面が前記コンテナの前記隠れ領域を表示するように、前記指示情報に従って、前記コンテナ中の前記表示画面上に表示された前記表示領域に対して縮小処理を実施する前記段階が、
前記表示領域が縮小された後の前記未占有領域に前記表示画面が前記コンテナの前記隠れ領域を表示するように、前記指示情報に従って、前記表示領域の任意の部分に対して縮小処理を実施する段階を含む、請求項1に記載のコンポーネント表示処理方法。
【請求項５】
前記表示領域が縮小された後の前記未占有領域に前記表示画面が前記コンテナの前記隠れ領域を表示するように、前記指示情報に従って、前記コンテナ中の前記表示画面上に表示された前記表示領域に対して縮小処理を実施する前記段階が、
前記表示領域が縮小された後の前記未占有領域に前記表示画面が前記コンテナの前記隠れ領域を表示するように、前記指示情報に従って、前記表示領域のエッジのいずれか1つにおける領域に対して縮小処理を実施する段階を含む、請求項1に記載のコンポーネント表示処理方法。
【請求項６】
前記表示領域が縮小された後の前記未占有領域に前記表示画面が前記コンテナの前記隠れ領域を表示した後、方法がさらに、
ユーザから移動指示を受け取る段階と、
前記移動指示に従って、前記コンポーネントを前記縮小された表示領域から前記表示画面上に表示された前記隠れ領域に移動する段階とを含む、請求項1から5のいずれか一項に記載のコンポーネント表示処理方法。
【請求項７】
前記コンポーネントを前記縮小された表示領域から前記表示画面上に表示された前記隠れ領域に移動する前記段階が、
前記縮小された表示領域から、前記縮小された表示領域と前記表示画面上に表示された前記隠れ領域との間の接合部に前記コンポーネントが移動された後、前記表示画面上に表示された内容をずらすようにまたは反転するようにして切り替えて、前記隠れ領域を完全に表示し、それにより前記コンポーネントが前記隠れ領域に移動される段階を含む、請求項6に記載のコンポーネント表示処理方法。
【請求項８】
前記指示情報が画面拡張指示を含み、
前記表示領域が縮小された後の前記未占有領域に前記表示画面が前記コンテナの前記隠れ領域を表示した後、方法がさらに、前記画面拡張指示に従って新しい表示領域を前記表示画面上に表示する段階を含み、前記新しい表示領域が、前記縮小された元の表示領域、および前記表示画面上に表示された前記隠れ領域である、請求項1から7のいずれか一項に記載のコンポーネント表示処理方法。
【請求項９】
前記表示領域が縮小された後の前記未占有領域に前記表示画面が前記コンテナの前記隠れ領域を表示した後、方法がさらに、
ユーザからプログラム処理指示を受け取り、前記表示画面上に表示された前記隠れ領域に表示されたプログラムコンポーネントに対して処理を実施する段階を含む、請求項1から8のいずれか一項に記載のコンポーネント表示処理方法。
【請求項１０】
コンポーネントが処理待ち状態にあることを示す指示情報を得るように構成された取得モジュールと、
表示領域が縮小された後の未占有領域に表示画面がコンテナの隠れ領域を表示するように、前記指示情報に従って、前記コンテナ中の前記表示画面上に表示された前記表示領域に対して縮小処理を実施するように構成された処理モジュールとを備えるユーザ機器であって、前記コンテナが、コンポーネントを収容するための前記表示領域および前記隠れ領域を含む、ユーザ機器。
【請求項１１】
前記処理モジュールが、前記表示領域全体が縮小された後の未占有領域に前記表示画面が前記コンテナの前記隠れ領域を表示するように、前記指示情報に従って、前記表示領域全体に対して縮小処理を実施する、請求項10に記載のユーザ機器。
【請求項１２】
前記指示情報が前記コンポーネントの移動方向情報を含み、
前記処理モジュールが、前記表示領域が縮小された後の未占有領域に前記表示画面が前記コンテナの前記隠れ領域を表示するように、前記コンポーネントの前記移動方向情報に従って、前記コンポーネントの移動方向が向けられる前記表示領域の部分に対して縮小処理を実施する、請求項10に記載のユーザ機器。
【請求項１３】
前記処理モジュールが、前記表示領域が縮小された後の未占有領域に前記表示画面が前記コンテナの前記隠れ領域を表示するように、前記指示情報に従って、前記表示領域の任意の部分に対して縮小処理を実施する、請求項10に記載のユーザ機器。
【請求項１４】
前記処理モジュールが、前記表示領域が縮小された後の未占有領域に前記表示画面が前記コンテナの前記隠れ領域を表示するように、前記指示情報に従って、前記表示領域のエッジのいずれか1つにおける領域に対して縮小処理を実施する、請求項10に記載のユーザ機器。
【請求項１５】
前記処理モジュールが、
ユーザから移動指示を受け取るように構成された第1の受領ユニットと、
前記移動指示に従って、前記コンポーネントを前記縮小された表示領域から前記表示画面上に表示された前記隠れ領域に移動するように構成された移動ユニットとを備える、請求項10から14のいずれか一項に記載のユーザ機器。
【請求項１６】
前記移動ユニットがさらに、前記縮小された表示領域から、前記縮小された表示領域と前記表示画面上に表示された前記隠れ領域との間の接合部に前記コンポーネントが移動された後、前記表示画面上に表示された内容をずらすようにまたは反転するようにして切り替えて、前記隠れ領域を完全に表示するように構成され、それにより前記コンポーネントが前記隠れ領域に移動される、請求項15に記載のユーザ機器。
【請求項１７】
前記処理モジュールがさらに、
ユーザから画面拡張指示を受け取るように構成された第2の受領ユニットと、
前記画面拡張指示に従って新しい表示領域を前記表示画面上に表示するように構成された拡張ユニットとを備え、前記新しい表示領域が、前記縮小された元の表示領域、および前記表示画面上に表示された前記隠れ領域である、請求項10から16のいずれか一項に記載のユーザ機器。
【請求項１８】
前記処理モジュールがさらに、
ユーザからプログラム処理指示を受け取るように構成された第3の受領ユニットと、
前記プログラム処理指示に従って、前記表示画面上に表示された前記隠れ領域に表示されたプログラムコンポーネントに対して処理を実施するように構成されたプログラム処理ユニットとを備える、請求項10から17のいずれか一項に記載のユーザ機器。
【請求項１９】
請求項1から9のいずれかに記載の方法をコンピュータに実行させるプログラムが記録された、コンピュータ可読記憶媒体。
【請求項２０】
表示画面と、
1つまたは複数のプロセッサと、
コンピュータ可読記憶媒体と、
前記コンピュータ可読記憶媒体に記憶され、前記1つまたは複数のプロセッサによって実行されるように構成されたプログラムとを備えるユーザ機器であって、前記プログラムが、
コンポーネントが処理待ち状態にあることを示す指示情報を得るための命令と、
表示領域が縮小された後の未占有領域に表示画面がコンテナの隠れ領域を表示するように、前記指示情報に従って、前記コンテナ中の前記表示画面上に表示された前記表示領域に対して縮小処理を実施するための命令とを含み、前記コンテナが、コンポーネントを収容するための前記表示領域および前記隠れ領域を含む、ユーザ機器。